(57)【要約】      （修正有）【課題】脱着式電源プラグに関するもので、製造方法に於ける組み立ての簡素化、加工の簡便性を提供する。【解決手段】脱着式電源プラグ１００の製造方法改善について、まず組立作業の簡素化のために上下プラグ本体１３１，１３２の上下結合する下段部に下部モールディング本体１３７が強固に結合するモールディング結合部１３１ａ、１３２ａを設けた。この下部モールディング本体の考案によりストッパーの取り付け、ボルトの固定化作業がなくなった。次に加工作業の簡略化のために、上記の本体の内部に内在されるテンションスプリング接続端子１３３の下段部に従来の溶接固定端子に変わるクランピング部１３３ａをテンションスプリング接続端子に一体連結して設け、上下プラグ本体の下段外側にこのクランピング部が露出するようにセットし、上下プラグを合わせた後、電線１２０のコイル部分１２１をクランピング部に挿入、クランピング処理をする。【選択図】図３
2010257931.tif 000002
【特許請求の範囲】
【請求項１】
テンションスプリング接続端子の下段部に電線端末皮膜コイルをクランピングするためのクランピング部を連結して設けたテンションスプリング接続端子を考案し、そのテンションスプリング接続端子が上部本体の外部下側にクランピング部が露出するようにセットし、挿入プラグ部よりの電線の反対側の端末皮膜除去したコイルをテンションスプリング接続端子のクランピング部に挟み込み、クランピング処理を行うことで、従来の電線の端末皮膜コイルを溶接固定端子にクランピングする。これにより従来スポット溶接作業を行っておった作業がなくなり製造方法の簡略化が計られる。
【請求項２】
下部モールディング本体を上部本体に強固に結合するため、上部本体にモーディング結合部の部位を設けた。上記電線コイルのクランピング処理の後、上部本体のモールディング結合部に、下部モールディング本体を一体形成させことで、従来の単独先行作業であるストッパーの電線への組み付け、最後のボルト締めによる上下本体の合体の組み立ての２工程をなくすことによる製造方法の簡素化が計られる。
【発明の詳細な説明】
【技術分野】
【０００１】  当該発明は、脱着式電源プラグに関するもので、構造的な改善を通じて製造工程を短縮し、製造単価を軽減できるようにし、自動化工程処理を可能とさせ、量産性が高められるようにした脱着式電源プラグの製造方法についてのものである。
【背景技術】
【０００２】    図２は、上記の従来の製造方法の大まかな工程図であり、図２（ａ）でのように挿入プラグ部（２）につながった電線（３）の反対側にストッパー（２０）を差し込み取り付ける。
ストッパー（２）が差し込まれた状態で図２（ｂ）でのように、電線（３）の先端部を二つに分けて皮膜を取り除いた後、電線（３）の皮膜除去したコイル（３ａ）を図２（ｂ）でのように溶接固定用端子（１０）を挿入した後、クランピングし電線（３）と一体結合させる。
電線（３）に溶接固定用端子（１０）をクランピングした後は、図２（ｃ）でのように、溶接固定用端子（１０）をテンションスプリング接続端子（４３）の後背部にスポット溶接をし、電気的に連結させる。
ＳＰＯＴ溶接により、電線（３）と連結したテンションスプリング接続端子（４３）を、下段上向きのプラグ片側に挿入セットする。
そして、図２（ｅ）でのように、磁石（４４）と２枚の鉄板プレート（４５）（４６）が磁石の真ん中に位置するように差し込む。
続いて、図２（ｆ）でのように、ストッパー（２０）とテンションスプリング接続端子（４３）及び磁石（４４）がセットされたプラグ本体（４１）にもう一方の対となるプラグ本体（４２）をかぶせ、ボルト（Ｂ）で固定し、脱着式電源プラグ（１）が完成となる。
上記の工程どうり、従来の脱着式電源プラグ（１）は、製造工程が複雑なだけでなく、全ての工程が手作業で行われるため、製造時間や人件費が多くかかるという問題があり、これによって製造単価の軽減が困難であった。
なお、従来の脱着式電源プラグ（１）は、構造的な面においても自動化作業を全く実施できないというネックがあり、これによって量産性の上昇が図れないという問題があった。
【発明の詳細な説明】
【発明の概要】
【発明が解決しようとする課題】
【０００３】    当該発明は、これまで手作業で行われていたストッパー組立工程、ボルト固定工程及びスポット溶接工程を省略することに目的がある。
【課題を解決しようとする手段】
【０００４】ストッパー組み立て、ボルト固定作業の省略を実現するための構造の提案上部本体と下部モールディング本体の上下の結合を強固にするため、上部下側端部にそれぞれ下部モールディング部本体と強固に結合するための段差をつけたモールディング結合部に部位を設けた形状の考案
【０００５】スポット溶接の省略を実現するための構造の提案
スプリング接続端子の端末に溶接固定端子を連結し一体化させた。
テンションスプリング接続端子にスポット溶接を行い通電を可能とさせる溶接固定端子をなくし、テンションスプリング接続端子にクランピング部を一体連結とする形状に改良した、これを一対の上部本体の内部に挿入セットし、上部本体の外部下側にテンションスプリング接続端子のクランピング部が露出するようにセットする。
【０００６】    挿入プラグにつながった電線の端末の皮膜除去したコイルをテンションスプリング接続端子のクランピング部に差し込み、クランピング処理を行うことにより、スポット溶接作業をなくした。
【０００７】    上記のクランピング処理が行われた後、上部本体のモールディング結合部に、金型内にストッパー形状を含んだ、一体の塊である下部モールディング本体を成形し、これによりストッパー組み立て、ボルト固定作業をなくした。
【発明の効果】
【０００８】    当該発明は、これまで行われていたスポット溶接工程及びストッパー組立工程とボルト固定工程をなくすなど、製造工程の短縮が可能となり、製造単価が節減でき、しかも下部モールディングは金型による射出成形品である為、金型キャビティを増やすことにより短時間での増産が行え、人件費の節減とともに量産性を高めることができる。
【図面の簡単な説明】
【０００９】
【図１】  従来の脱着式電源プラグを示した分解図
【図２】  従来の脱着式電源プラグの製造工程を示した図面
【図３】  当該発明による脱着式電源プラグを示した分解図
【図４】  当該発明による脱着式電源プラグの製造工程を示した図面
【発明の実施するための形態】
【００１０】    当該発明を添付した図面を参考にし、詳細に説明すれば次の通りである。
図３は、当該発明による脱着式電源プラグを示した分解図である。
図３を参考にして、当該発明による脱着式電源プラグ（１００）は、電気コンセント側に挿入接続させるための挿入プラグ部（１１０）と、上記の挿入プラグ部（１１０）に電線（１２０）によって繋がった脱着式プラグ部（１３０）で構成される。
このとき、上記の挿入プラグ部（１１０）は、電気コンセント（未表示）側に挿入するためのリード端子（１１１）が突き出ておる。
上記の電線（１２０）は、挿入プラグ部（１１０）と脱着式プラグ部（１３０）の電気通電に使用され、脱着プラグ部（１３０）側には、テンションスプリング接続端子（１３３）の新規に連結して設けたクランピング部（１３３ａ）に電線（１２０）端末の皮膜除去されたコイル部分（１２１）をクランピング処理することで連結通電可能となる。
上記の脱着式プラグ部（１３０）は、上下結合される構造を持ち、下側端部にモールディング結合部（１３１ａ）（１３２ａ）を持った、一対の上下プラグ本体（１３１）（１３２）と、
上下プラグ本体（１３１）（１３２）の内部にセットされ、通電用クランピング部（１３３ａ）を持ったテンションスプリング接続端子を上下プラグ本体（１３１）（１３２）の下段外側に露出するようにセットし、
上記の上下プラグ本体（１３１）（１３２）の内部にセットされた、鉄板プレート（１３５）（１３６）の真ん中に配置される磁石（１３４）と、上記の一対の上下プラグ本体（１３１）（１３２）の上下結合した後、テンションスプリング接続端子（１３３）のクランピング部（１３３ａ）に電線（１２０）の皮膜除去されたコイル部分（１２１）のクランピング処理を行い、最後に上下プラグ本体（１３１）（１３２）の下側部に一体結合する下部モールディング本体（１３７）で構成される。
このとき、当該発明ではこれまで個別に組み立てられていたストッパー部分が、モールディング加工により、下部モールディング本体（１３７）に一体としてモールディングされることで電線（１２０）を固定するように成形される。
ここで、上記の一対で形成される上下プラグ本体（１３１）（１３２）には、かみこみ構造等、相互にマッチングするロッキング構造をつくり（Ａ１）（Ａ２）、強固な結合状態を維持及び簡単に分離されるのを防止できる構造にする。
図４は、当該発明による脱着式電源プラグを示した製造工程図である。
図４を参考にして、当該発明による脱着式電源プラグの製造方法は、図４（ａ）の下段部にクランピング部（１３３ａ）を設けたテンションスプリング接続端子（１３３）及び下側端部にそれぞれモールディング結合部（１３１ａ）（１３２ａ）を持つ結合構造の一対の上下プラグ本体（１３１）（１３２）により構成する。
このとき、図４（ｂ）の上下プラグ本体（１３１）（１３２）の内部には、テンションスプリング接続端子（１３３）などを挿入セットするための区画された空間が設けられており、上記の上下プラグ本体（１３１）（１３２）とテンションスプリング接続端子（１３３）は、上下組み付けられる上下プラグ本体（１３１）（１３２）の下段外側にテンションスプリング接続端子（１３３）のクランピング部（１３３ａ）が露出するようにセットする。
このとき、上下プラグ本体（１３１）（１３２）には、テンションスプリング接続端子（１３３）が２個配置されるが、このテンションスプリング接続端子（１３３）の間に磁石（１３４）を差し込み、磁石（１３４）は、鉄板プレート（１３５）（１３６）にはさんだ形でセットし、鉄板プレート（１３５）（１３６）の先端が上下プラグ本体（１３１）（１３２）の上段外側に一部露出セットさせる。
２ヶのテンションスプリング接続端子（１３３）を、上部本体（１３１）に挿入セットした後、もう一ヶの上部本体（１３２）をかぶせ組み付ける、上下プラグ本体１３１）（１３２）に作られた相互にマッチングするロッキング構造（Ａ１）（Ａ２）によって強固な結合状態を維持可能とする。
図４（ｃ）でのように、挿入プラグ部（１１０）より一体結合された電線（１２０）の反対側の先端部を二つに分け、先端の皮膜を取り除く。
電線（１２０）の皮膜除去部分（１２１）をテンションスプリング接続端子（１３３）のクランピング部（１３３ａ）にセットし、クランピング部（１３３ａ）をクランピング処理を行うことで、図４（ｄ）でのように、上下プラグ本体（１３１）（１３２）側と挿入プラグ部（１１０）が電線（１２０）で結合される。
電線（１２０）のクランピング処理を行った後、上部本体（１３１）（１３２）のモールディング結合部（１３１ａ）（１３２ａ）に図４（ｅ）でのように下部モールディング本体（１３７）が一体結合する事により、脱着式プラグ部（１３０）が完成する。
このとき、下部モールディング本体（１３７）の形成のためのモールディング処理の際、下部モールディング部（１３７）の下側に電線（１２０）を固定支持するストッパー部（１３７ａ）が同時に一体としてモールディング形成される。
上記のような構成及び製造技術により、挿入プラグ部（１１０）から、１００Ｖの交流入力電源を脱着式プラグ部（１３０）への通電が可能となり、脱着式プラグ部（１３０）のテンションスプリング接続端子（１３３）の先端につながった電気電子製品などに電源の供給が可能となる。
当該発明の脱着式電源プラグ（１００）は、電線（１２０）との連結通電のために設けた、テンションスプリング接続端子（１３３）にクランピング部（１３３ａ）を新規に設け、又脱着式プラグ部（１３０）の本体構造をモールディング結合部（１３１ａ）（１３２ａ）を新規に設けた一対の上部プラグ本体（１３１）（１３２）に、モールディング成形を行う下部モールディング本体（１３７）を分離することで、これまで行われていたスポット溶接工程、ストッパー組立工程とボルト固定工程の省略化ができ、製造工程の短縮を実現しながら手作業だけで行われていた作業を自動化工程へと進めることが可能となる。
【符号の説明】
【００１１】１００：当該発明の脱着式電源プラグ
１１０：挿入プラグ部
１２０：電線
１３０：脱着式プラグ部
１３１，１３２：上下プラグ本体（合成樹脂）
１３１ａ，１３２ａ：モールディング結合部
１３３：テンションスプリング接続端子
１３３ａ：クランピング部
１３４：磁石
１３７：下部モールディン本体（ＰＶＣ，ＰＥ）
【図１】
2010257931.tif 000003
【図２】
2010257931.tif 000004
【図３】
2010257931.tif 000005
【図４】
2010257931.tif 000006